(57)【要約】【課題】  海賊、強盗等の船舶への接近、侵入を効果的に監視し、その被害を防止する。【解決手段】  夜間でも照明なしで撮影でき、ＣＣＤを組み込んだ超高感度の全方位カメラを船舶のマスト等の高い位置に設置し、船上及び周辺３６０°の海域を常時監視する。このカメラの魚眼レンズによる撮影画像をパノラマ平面画像に補正し、これにパソコン上で監視エリアを設定し、このエリアに侵入した移動体を感知したときに可視可聴の警報を発する警報装置を設定する。全方位カメラの死角は、エリア監視カメラによりカバーする。これらをパソコンで集中管理する。これにより海賊被害防止に資すると共に乗組員の監視警戒業務の負担軽減に役立つ。【選択図】図１
0003148609.tif 000002
【実用新案登録請求の範囲】
【請求項１】
船舶の船体全体及びその周辺海域を撮影できる位置に設置した２台を１組とする全方位カメラと、同全方位カメラからの魚眼レンズによる映像をパノラマ平面画像に合成・補正しモニター画面上に映し出すパソコンと、同パソコンにより移動体を感知する監視エリアを設定することと、移動体を感知したときに可視可聴の警報を発することと、それらにより海賊、強盗等の船内侵入を監視することを特徴とする船舶保安システム
【請求項２】
前記全方位カメラの死角になる区域及び特に監視を必要とする区域に当該区域を監視するエリア監視カメラを設置し、これらの映像を前記パソコンのモニター画面に映し出すことを特徴とする船舶保安システム
【請求項３】
前記全方位カメラは、夜間でも照明なしで監視が可能で、動体センサーを組み込んだ人工衛星搭載用超高感度ＣＣＤ（Ｃｈａｒｇｅ  Ｃｏｕｐｌｅｄ  Ｄｅｖｉｃｅ）を使用し、自動ピント合わせ・明るさ調整ができるオートフォーカス・オートアイリス機能を有し、耐塩処理を施し、屋外の直射日光や風雨等から保護するハウジングに設置することを特徴とする船舶保安システム
【請求項４】
過去入港した最近の１０港における監視記録を保存する画像記録装置を有することを特徴とする船舶保安システム
【考案の詳細な説明】
【技術分野】
【０００１】  本考案は、船舶等に接近・侵入する者、船舶等を監視し、探知する装置に関するものである。
【背景技術】
【０００２】  船舶は、しばしば海賊、強盗、テロ等に襲われている。これらの被害を防止するため、レーダーによる接近船舶の監視、停泊中及び航海中の乗組員による船内外の巡視警戒監視、舷門等の監視カメラによる監視、侵入者の船内乗り込み防止装置の設置、襲われた場合の外部への警報通報装置の設置などをしていた。
【考案の開示】
【考案が解決しようとする課題】
【０００３】  海賊等の侵入を防止するためには、常時、周囲の監視を続け、侵入者を発見した場合には直ちに防御措置を講じる必要がある。近年、このような海賊事件が頻繁に発生しているところから、海賊対策は、船舶運航者にとって大きな負担となっている。特に、停泊中及び岸壁係留中は、海賊にとっては当該船舶に侵入しやすい状態にあるので、船舶運航者側にはより厳重な警戒監視が必要とされる。一方、船舶乗組員にとっては、船舶が停泊中あるいは岸壁係留中は、航海中に比べより多く休息、休養を取りやすい期間になる。それにもかかわらず巡視警戒監視を強化しなければならないことは、乗組員の負担を大きくさせている。本考案は、海賊等による被害の防止を図ると共に船舶乗組員の負担を軽減しようとするものである。
【課題を解決するための手段】
【０００４】  本考案は、船舶の全体及びその周辺海域を監視できるマスト等の高い位置に、夜間でも照明なしで監視ができるように人工衛星搭載用超高感度カメラ（全方位カメラ）を設置して、船体上部から船体全体及び周辺海域３６０°を監視する。魚眼レンズによる全方位撮影で、その画像を合成し、パノラマ平面画像に補正する。必要により部分的にズームアップして詳細に確認し、また、ズームアウトして広く周辺海域を監視する。画像にはパソコン上で移動体を感知する監視エリアを設定し、当該監視エリアに移動体が侵入したときに可視可聴の警報を発する。全方位カメラの死角となる区域及び特に必要とされる区域にはエリア監視カメラを設置する。これらをパソコンで集中管理する。カメラは自動ピント合わせ・明るさ調整ができるオートフォーカス・オートアイリス機能を施し、海上特有の塩害対策としての耐塩処理を行い、屋外の直射日光や風雨等から保護するハウジングに収納する。これらにより当該船舶に接近・侵入しようとする者、船舶等を早期に把握できると共に、乗組員により常時船内全体を巡視警戒監視している必要がなくなり、乗組員の負担を軽減している。
【考案の効果】
【０００５】  上述のように、警報によりパソコン上の画面を確認することにより監視することができ、海賊等の対策、乗組員の負担軽減に役立つ。これによりＳＯＬＡＳ条約・ＩＳＰＳコードの全ての保安レベルにおいて求められる保安措置を満たす能力を有することになる。このほかに、本考案を活用することにより船舶のみならず港湾施設や陸上の工場等においても侵入者の監視に役立てることができる。
【考案を実施するための最良の形態】
【０００６】  船舶のマストの船舶全体を監視できる高い位置に、マストによる死角を解消するために２台を１組とする全方位カメラを設置する。同カメラは、夜間でも照明なしで監視が可能で、動体センサーを組み込んだＣＣＤを使用する。また、耐塩処理を施し、風雨等から保護するハウジングに収納する等耐久性，耐環境性を確保する。船内の当直監視室等の適切な場所にパソコン及び関連機器を設置する。全方位カメラの死角となる区域及び特に監視を必要とする区域に、当該区域を監視するためのエリア監視カメラを設置し、その画像をパソコン画面に表示する。パソコンには移動体を感知する監視エリアを設定し、侵入者等の移動体を感知したときに可視可聴の警報を発する。以上の監視画像を過去入港した最近の１０港まで記録保存する画像記録装置を設置する。
【実施例】
【０００７】  以下、図１に従って実施例を説明する。マストの高い位置に全方位カメラ１及び２を１組として風雨等から保護するハウジングに収めて設置する。パソコンは船内の当直室等適切な場所１０に設置する。部分区域監視用としてエリア監視カメラ５（及び必要によりその他のエリア監視カメラ）を設置する。【０００８】  全方位カメラ１はマストより前部の船体上部及び周辺海域を撮影して画像３となる。全方位カメラ２は同様にマストより後部の部分を撮影して画像４となる。これら２つの画像をパソコンにより合成して画像７となる。エリア監視カメラ４は船体後部付近（その他のエリア監視カメラは当該区域）を撮影して画像８（画像９）となる。【０００９】  画像７及び画像８は、パソコン１１上に表示される。これらの画像にはパソコンにより、移動体を感知したら警報を発する監視エリアを設定する。これにより侵入者等を効果的に監視する。
【図面の簡単な説明】
【００１０】
【図１】  本考案の実施例である。
【図２】  本考案のシステム構成である。
【符号の説明】
【００１１】  １  全方位カメラ１
２  全方位カメラ２
３  船体前部及び周辺海域の画像
４  船体後部及び周辺海域の画像
５  エリア監視カメラ
６  エリア監視カメラ
７  船体前部及び後部並びに周辺海域の合成画像
８  エリア監視カメラ５の画像
９  エリア監視カメラ６の画像
１０  パソコン設置場所
１１  パソコン
【図１】
0003148609.tif 000003
【図２】
0003148609.tif 000004
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
船舶の船体全体及びその周辺海域を撮影できる位置に設置した２台を１組とする全方位カメラと、同全方位カメラからの魚眼レンズによる映像をパノラマ平面画像に合成・補正しモニター画面上に映し出すパソコンとを備え、同パソコンにより移動体を感知する監視エリアを設定し、移動体を感知したときに可視可聴の警報を発することにより海賊、強盗等の船内侵入を監視することを特徴とする船舶保安システム
【請求項２】
前記全方位カメラの死角になる区域及び特に監視を必要とする区域に当該区域を監視するエリア監視カメラを設置し、これらの映像を前記パソコンのモニター画面に映し出すことを特徴とする請求項１記載の船舶保安システム
【請求項３】
前記全方位カメラは、夜間でも照明なしで監視が可能で、動体センサーを組み込んだ人工衛星搭載用超高感度ＣＣＤ（Ｃｈａｒｇｅ  Ｃｏｕｐｌｅｄ  Ｄｅｖｉｃｅ）を使用し、自動ピント合わせ・明るさ調整ができるオートフォーカス・オートアイリス機能を有し、耐塩処理を施し、屋外の直射日光や風雨等から保護するハウジングに設置することを特徴とする請求項１記載の船舶保安システム
【請求項４】
過去入港した最近の１０港における監視記録を保存する画像記録装置を有することを特徴とする請求項１記載の船舶保安システム